(57)【要約】【課題】簡単に促販用アクセサリの着脱が可能な自動販売機用商品見本の提供。【解決手段】弾性シート状をなし、表面に缶、瓶その他の販売商品を表示する商品表示体５と、商品表示体５を円弧状に湾曲させた状態で保持し、商品見本展示用ステージ上に着脱自在に取り付けられる表示体支持部材とを有し、商品表示体５を自動販売機の商品表示窓内に設置した商品見本展示用ステージに着脱自在に立設させるようにし、表示体支持部材は、背面部８に商品の販売促進に供される促販用アクセサリ２を支持するアクセサリ支持手段１２を有する。【選択図】    図２
2004171421.tif 000002
【特許請求の範囲】
【請求項１】
弾性シート状をなし、表面に販売商品を表示する商品表示体と、該商品表示体を円弧状に湾曲させた状態で保持し、商品見本展示用ステージ上に着脱自在に取り付けられる表示体支持部材とを有し、前記商品表示体を自動販売機の商品表示窓内に設置した商品見本展示用ステージに着脱自在に立設させるようにしてなる自動販売機用商品見本において、
前記表示体支持部材は、背面部に商品の販売促進に供される促販用アクセサリを支持するアクセサリ支持手段を有することを特徴としてなる自動販売機用商品見本。
【請求項２】
アクセサリ支持手段は、表示体支持部材の背面に形成され、促販用アクセサリが嵌り込む支持凹溝と、該支持凹溝と連通し、促販用アクセサリの一部が差し込まれる保持用孔を備えた差し込み保持部とを有する請求項１に記載の自動販売機用商品見本。
【発明の詳細な説明】
【０００１】
【発明の属する技術分野】
本発明は、主として、缶又は瓶入りの清涼飲料や酒類を販売する自動販売機の商品見本展示窓内に設置する自動販売機用商品見本に関する。
【０００２】
【従来の技術】
一般に、清涼飲料や酒類等の自動販売機では、テレビコマーシャル等の広告によるイメージも手伝って、販売商品に関するイメージキャラクターや商品名等の広告を表示することにより売り上げが向上することが知られている。
【０００３】
また、商品見本や広告表示を目立つものとすることにより、通行人に対してより強い宣伝効果を発揮するとともに、他商品との差別化を図ることができ、購買者は目立つ商品を選択する傾向があることから、販売促進の効果も得られる。
【０００４】
そこで、近年では、販売商品のイメージキャラクターや商品名等を表示し、販売促進に供する厚紙やフィルム製の促販用アクセサリを商品見本に貼り付ける等して、他商品との差別化を図っている。
【０００５】
【発明が解決しようとする課題】
しかし、上述のような従来の技術では、商品見本に対し促販用アクセサリを貼り付け等によって固定するため簡易に着脱できず、促販用アクセサリのみを別のものに交換したい場合であっても自動販売機の設置現場において交換することができなかった。
【０００６】
特に、促販用アクセサリは、季節やテレビコマーシャル等との関係において、商品見本よりも頻繁に交換する必要があるため、商品見本と促販用アクセサリを別個に取り扱うことができないと、効率が悪いという問題があった。
【０００７】
本発明は、このような従来の技術の状況を鑑み、商品見本に対し、簡単に促販用アクセサリの着脱が可能な自動販売機用商品見本の提供を目的とする。
【０００８】
【課題を解決するための手段】
上述の如き従来の問題を解決し、所期の目的を達成するための請求項１の発明は、弾性シート状をなし、表面に缶、瓶その他の販売商品を表示する商品表示体と、該商品表示体を円弧状に湾曲させた状態で保持し、商品見本展示用ステージ上に着脱自在に取り付けられる表示体支持部材とを有し、前記商品表示体を自動販売機の商品表示窓内に設置した商品見本展示用ステージに着脱自在に立設させるようにしてなる自動販売機用商品見本において、前記表示体支持部材は、背面部に商品の販売促進に供される促販用アクセサリを支持するアクセサリ支持手段を有することを特徴とする。
【０００９】
このように構成することによって、促販用アクセサリを着脱自在に商品見本に取り付けることができ、商品表示体に合わせて色々なアクセサリを用いることができる。
【００１０】
請求項２の発明は、請求項１に記載の構成に加え、アクセサリ支持手段が、表示体支持部材の背面に形成され、促販用アクセサリの外縁が嵌り込む支持凹溝と、該支持凹溝と連通し、促販用アクセサリの一部が差し込まれる保持用孔を備えた差し込み保持部とを有することを特徴とする。
【００１１】
このように構成することによって、容易に促販用アクセサリを取り付けることができると共に、好適に保持することができる。
【００１２】
【発明の実施の形態】
次に、本発明に係る自動販売機用商品見本の実施の形態を図について説明する。
【００１３】
図１は自動販売機用商品見本の実施の一例を示し、符号１は商品見本、２はイメージキャラクターや商品名等を表示し、商品の販売促進に供される促販用アクセサリである。
【００１４】
自動販売機の商品表示窓内には商品見本展示用ステージＡが設置され、そのステージ前面には前方斜め上向きの見本装着用プレートａが備えられている。このプレートａに取付孔３が開口されており、この取付孔３に、本発明に係る商品見本１が着脱自在に装着されるようになっている。
【００１５】
商品見本１は、前記取付孔３に取り外し自在に装着される表示体支持部材４と、これに取換え可能に支持される見本表示体５とから構成されている。
【００１６】
表示体支持部材４は、ボトルの形状を模して形成されたボトル頭部６と、見本装着用プレートａの表面に当接されて保持される斜め配置の基盤部７と、ボトル頭部６と基盤部７とを連結する背面部８とを有し、前面部に弾性シート状の見本表示体５を湾曲させた状態で保持するようになっている。
【００１７】
この表示体支持部材４は、基盤部７と背面部８との境界部分において、上半体９と下半体１０とに分割されている。
【００１８】
上半体９は、図３、図４に示すように、前述したボトル頭部６と、その背縁部下側に一体に成形された背面部８とから構成され、ボトル頭部６の下縁部前面には、商品表示体５の裏面に当接する当接片１１が形成されている。
【００１９】
また、上半体９の背面部８には、図２に示すように、促販用アクセサリ２を支持するアクセサリ支持手段１２を有し、このアクセサリ支持手段１２に、促販用アクセサリ２を着脱自在に支持させることで、商品見本１を装飾することができるようになっている。
【００２０】
アクセサリ支持手段１２は、背面部８に設けられた支持用凹溝１３と、支持用凹溝１３と連通された保持用孔１４，１４を備えた差し込み保持部１５とをもって構成されている。
【００２１】
促販用アクセサリ２は、差し込み保持部１５の保持用孔１４，１４に差し込まれる差し込み片１６，１６と、支持用凹溝１３に嵌り込む平板状の支持部１７とを一体に有し、差し込み片１６を保持用孔１４に差し込むと共に、支持部１７を支持用凹溝１３に嵌め込むことによって、アクセサリ支持手段１２に支持されるようになっている。
【００２２】
下半体１０は、図５、図６に示すように、上述した基盤部７と、基盤部７の両側縁上端より突出された一対の表示体取付部１８，１８と、基盤部７の下縁に配置された底部１９とを一体に備えている。
【００２３】
基盤部７の略中央部分には、内部照明用の照明孔２０が開口され、その開口縁部背面に対ステージ固定用の枠状をした固定用凸部２１が突設されている。この固定用凸部２１を見本装着用プレートａに開けた取付孔３に挿入することによって、表示体支持部材４が前記プレートａに装着されるようになっている。
【００２４】
また、基盤部７の表面側には支持枠２２が突設され、該支持枠２２の外側面を商品表示体５の裏面縁部（テーパ部分）に当接させて商品表示体を支持するようになっている。
【００２５】
この上下両半体９，１０の連結は、上述した保持用孔１４の下端側より、下半体基盤部７の上縁部に突設させた一対の挿入片２３，２３を挿入し、該両挿入片２３の間に配置され、端部に係止爪２４ａを有する係合片２４を背面部下端に形成された係止孔２５に挿入して係止爪２４ａを係止孔２５の上側開口縁部に係止させることで抜け止めするようになっている。
【００２６】
見本表示体５は、図７に示すように、平板状をした弾性を有する透光性の合成樹脂製フィルム材に透光性を有する商品印刷を施し、所定の形状に打ち抜いて成形されており、全体的に略方形状をなし、両縁下部がテーパ状に形成されている。
【００２７】
また、この見本表示体５の両側部には、係止用切欠２６，２６を備え、この係止用切欠２６を表示体取付部に突設された係止杭２７に係合させることにより見本表示体５を表示体支持部材４に取り付けるようにしている。
【００２８】
このように見本支持体５を表示体支持部材４に取り付けた場合には、上半体９の当接片１１が見本表示体５の上縁裏面に当接して見本表示体上縁部を支持し、下半体１０の底部１９に形成された係止穴２８に、見本表示体５の下縁に突設させた突片２９が係合されて、底部１９に商品表示体の下縁部が支持されるようになっている。
【００２９】
尚、表示体支持部材の構成は、上述の実施例に限られるものではなく、スライド形式のもの、一体型のもの、缶型のものなどでもよく、背面部に促販用アクセサリを支持させるアクセサリ支持手段を設けることができればよい。
【００３０】
【発明の効果】
上述のように、本発明に係る自動販売機用商品見本は、アクセサリ支持手段を有することによって、宣伝効果を奏するイメージキャラクターや商品名を表示した促販用アクセサリを表示体支持部材に支持させた商品表示体に対応させて容易に取り付けることができ、他商品との差別化を図るとともに、商品を目立たせることができ、販売促進効果が得られ、促販用アクセサリを容易に着脱することができるので、設置現場でも作業可能で設置或いは取り替え作業の効率が向上する。
【図面の簡単な説明】
【図１】本発明に係る自動販売機用商品見本の実施の一例を示す縦断面図である。
【図２】図１中の商品見本を示す分解斜視図である。
【図３】同上の上半体を示す平面図である。
【図４】同上の上半体を示す底面図である。
【図５】同上の下半体を示す平面図である。
【図６】同上の下半体の背面図である。
【図７】同上の商品表示体を示す正面図である。
【符号の説明】
Ａ  商品見本展示用ステージ
ａ  見本装着用プレート
１  商品見本
２  促販用アクセサリ
３  取付孔
４  表示体支持部材
５  見本表示体
６  ボトル頭部
７  基盤部
８  背面部
９  上半体
１０  下半体
１１  当接片
１２  アクセサリ支持手段
１３  支持用凹溝
１４  保持用孔
１５  差し込み保持部
１６  差し込み片
１７  支持部
１８  表示体取付部
１９  底部
２０  照明孔
２１  固定用凸部
２２  支持枠
２３  挿入片
２４  係合片
２４ａ  係止爪
２５  係止孔
２６  係止用切欠
２７  係止杭
２８  係止穴
２９  突片
【図１】
2004171421.tif 000003
【図２】
2004171421.tif 000004
【図３】
2004171421.tif 000005
【図４】
2004171421.tif 000006
【図５】
2004171421.tif 000007
【図６】
2004171421.tif 000008
【図７】
2004171421.tif 000009